(57)【要約】【課題】  画像形成装置において、下地色の異なる原稿用紙の画像を合成する際に、下地色の違いを補正するだけでなく、下地色による影響のため画像の色が色ずれしてしまうことを補正する。【解決手段】  本発明の画像形成装置は、合成される複数の原稿の下地部分の色情報を取得して、下地色が合致するように下地色部分の色を補正し、さらに下地の影響により画像の色ずれをおこした部分について、色補正を行なうという方法により課題を解決した。【選択図】図１
2011061318.tif 000002
【特許請求の範囲】
【請求項１】
複数の原稿の下地部分を認識して当該下地部分の色情報を取得する下地色情報取得部と、
前記下地色情報取得部にて取得した下地部分の色情報に基づいて複数の原稿の下地部分の色情報を補正して色合いを合わせる下地色補正部と、
前記原稿上の画像が下地部分による影響のために色ずれする分を前記下地色情報取得部にて取得した下地部分の色情報に基づいて補正する画像色補正部と、
前記下地色補正部により色補正した下地上に前記画像色補正部により色補正した画像を合成する画像合成部と、を有する
ことを特徴とする画像形成装置。
【請求項２】
請求項１の画像形成装置であって、
前記画像合成部により合成された画像の明度及び彩度をユーザからの入力に基づいて調整する明度彩度調整部を有する
ことを特徴とする画像形成装置。
【請求項３】
請求項１又は２の画像形成装置であって、
前記下地色情報補正部は、合成を行なう下地部分の色情報の比率分画像の色を補正する
ことを特徴とする画像形成装置。
【請求項４】
コンピュータに、
複数の原稿の下地部分を認識して当該下地部分の色情報を取得する下地色情報取得機能と、
前記下地色情報取得機能にて取得した下地部分の色情報に基づいて、複数の原稿の下地部分の色情報を補正して色合いを合わせる下地色補正機能と、
前記原稿上の画像が下地部分による影響のために色ずれする分を前記下地色情報取得機能にて取得した下地部分の色情報に基づいて補正する画像色補正機能と、
前記下地色補正機能により色補正した下地上に前記画像色補正機能により色補正した画像を合成する画像合成機能と、を実現させる
ことを特徴とする画像編集プログラム。
【発明の詳細な説明】
【技術分野】
【０００１】
画像形成装置において、画像合成を行なう技術に関するものである。
【背景技術】
【０００２】
画像形成装置では、複数の画像を合成する処理を行なう場合がある。例えば、異なる２枚の原稿をスキャンして、それらの２枚の原稿の画像を合成して１枚の用紙上に印刷する処理などである。その場合これらの２枚の原稿用紙の下地の色が異なるために、合成した画像に境界が出てしまい不自然な合成画像となる問題がある（図６（Ｂ）参照）。また、下地の色については補正を行って色合いを合わせたとしても、下地の色の影響等によりに用紙上に形成されている画像の色合いが本来有する色合いからずれてしまう場合がある（図６（Ｃ）参照）。
【０００３】
これらの問題に対処するために以下のような従来技術がある
原稿から読み取った画像データに対して、原稿の下地色に応じた画像処理を施す。つまり、下地色を複数のグループのいずれかに分類し、その下地色のグループに対応して設けられた色補正テーブルを用いて画像データを色補正する色補正処理手段の方法がある（特許文献１参照）。
【０００４】
また、複数の原稿から読み取った画像データを一つの記録用紙上に合成するとき、複数の原稿の地肌レベルを検出し、そのバラツキを補正して適切な下地除去処理を行うことのできる画像処理装置がある（特許文献２参照）。
【０００５】
しかし、特許文献１の方法では、下地色をグループで分けているので、下地色の分類方法が曖昧である。また、色補正テーブルが複数必要になり、下地色のグループが増えるごとに色補正テーブルを増やさなければならない問題がある。
【０００６】
また、特許文献２の方法では、下地除去処理をしているだけであり合成する画像データの下地以外の色は補正されないので、全体の色合いにバラツキが発生する可能性がある。
【先行技術文献】
【特許文献】
【０００７】
【特許文献１】特開２００７−２８８６２２号公報
【特許文献２】特開２００１−１３６３９４号公報
【発明の概要】
【発明が解決しようとする課題】
【０００８】
解決しようとする課題は、下地色の異なる複数の原稿用紙上の画像を合成する際に、合成画像の下地除去を行って下地の色補正を行なうだけでなく、下地色により色ずれした画像の色を補正して正しい色合いに合わせることができなかった点である。
【課題を解決するための手段】
【０００９】
本発明の画像形成装置は、複数の原稿の下地部分を認識して当該下地部分の色情報を取得する下地色情報取得部と、前記下地色情報取得部にて取得した下地部分の色情報に基づいて複数の原稿の下地部分の色情報を補正して色合いを合わせる下地色補正部と、前記原稿上の画像が下地部分による影響のために色ずれする分を前記下地色情報取得部にて取得した下地部分の色情報に基づいて補正する画像色補正部と、前記下地色補正部により色補正した下地上に前記画像色補正部により色補正した画像を合成する画像合成部と、を有することを特徴とする。
【００１０】
本発明の画像編集プログラムは、コンピュータに、複数の原稿の下地部分を認識して当該下地部分の色情報を取得する下地色情報取得機能と、前記下地色情報取得機能にて取得した下地部分の色情報に基づいて複数の原稿の下地部分の色情報を補正して色合いを合わせる下地色補正機能と、前記原稿上の画像が下地部分による影響のために色ずれする分を前記下地色情報取得機能にて取得した下地部分の色情報に基づいて補正する画像色補正機能と、前記下地色補正機能により色補正した下地上に前記画像色補正機能により色補正した画像を合成する画像合成機能と、を実現させることを特徴とする。
【発明の効果】
【００１１】
そのため、下地色の異なる原稿用紙の画像の合成の際に、下地色を合わせるだけでなく、下地色による影響のために色ずれした画像の色を補正することが可能となる。
【図面の簡単な説明】
【００１２】
【図１】本発明実施例の画像形成装置の機能ブロック図である。
【図２】本発明実施例の画像形成装置の動作の全体の流れを示すフローチャートである。
【図３】本発明実施例の画像形成装置の（Ａ）は、前準備の流れ、（Ｂ）は、画像合成の流れ、（Ｃ）は、色補正の流れを示すフローチャートである。
【図４】本発明実施例の画像形成装置の明度・彩度調整の流れを示すフローチャートである。
【図５】本発明実施例の画像形成装置による、画像合成処理の際の操作パネルの表示画面例である。
【図６】（Ａ）  本発明実施例の画像形成装置による画像合成の説明図。（Ｂ）  従来例による画像合成の例図（下地除去無）。（Ｃ）従来例による画像合成の零図（下地除去有）。
【発明を実施するための形態】
【００１３】
下地色の異なる複数の原稿用紙上の画像を合成する際に、合成画像の下地除去を行って下地の色補正を行なうだけでなく、下地色により色ずれした画像の色を補正して正しい色合いに合わせるという目的を、前記複数の下地部分の色情報を取得して、下地色が合致するように下地色部分の色を補正し、さらに下地により画像の色ずれをおこした部分について、色補正を行なうという方法により達成した。
【実施例１】
【００１４】
本発明実施例の画像形成装置について以下に説明する。
【００１５】
［構成］
図１は、本発明実施例の画像形成装置１０１の機能ブロック図である。
【００１６】
図１に示すように画像形成装置１０１は、コントローラ１１０、下地色情報取得部１１１、下地色補正部１１３、画像色補正部１１５、画像合成部１１７、明度彩度調整部１１９、スキャナ１２１、操作パネル１２３、メモリ１２５、ＣＰＵ１２７、印刷部１２９の機能ブロックを有する。
【００１７】
以下に各機能ブロックについて説明する。
【００１８】
コントローラ１１０は、画像形成装置１０１の画像処理を司る機能部で、本発明の本質的な画像処理機能部である下地色情報取得部１１１、下地色補正部１１３、画像色補正部１１５、画像合成部１１７、明度彩度調整部１１９の各機能部を有する。これらの各機能部は、メモリ１２５上に記録されたソフトウェアがＣＰＵ１２７上で実行されることにより各機能を実現可能となる。以下にこれらの各機能について説明する。
【００１９】
下地色情報取得部１１１は、複数の原稿の下地部分を認識して当該下地部分の色情報を取得する。複数の原稿を合成する際には、原稿の下地の色が異なると合成した際に不自然な画像となってしまう（図６（Ｂ）参照）。そこで、元原稿の白紙（画像が載っていない用紙）を用意して、スキャナでスキャンして下地色情報取得部が当該白紙の下地の色情報を取得して記録する。
【００２０】
下地色補正部１１３は、前記下地色情報取得部１１１にて取得した下地部分の色情報に基づいて、複数の原稿の下地部分の色情報を補正して色合いを合わせる。下地の色情報の補正には、元となる用紙の被合成用紙と合成される方の合成用紙とのふたつのうち、被合成用紙の下地の色に合成用紙の下地色を補正して合わせるという方法をとる。この他に双方の下地の中間色に合わせるという方法をとってもよい。
【００２１】
画像色補正部１１５は、前記下地色情報取得部１１１にて取得した下地部分の色情報に基づいて、前記原稿上の画像の色を補正する。原稿用紙上に形成された画像は、色トナーが用紙上に積み重なって画像を形成するが、下地の色の影響で画像の色合いが本来の色からずれてしまう、そこで画像色補正部１１５は、合成用紙の画像の色合いを下地色情報取得部１１１が取得した合成用紙の下地の色情報に基づいて下地を白色と仮定した色に色補正する。さらに、被合成用紙の下地の色に基づいて、合成用紙上の画像の色合いを被合成用紙の下地上に形成される色に補正する。
【００２２】
画像合成部１１７は、前記下地色補正部１１３により色補正した下地上に前記画像色補正部１１５により色補正した画像を合成する。画像合成部１１７は、上記の二機能部（下地色補正部１１３、画像色補正部１１５）によって、色補正された合成用紙の下地色及び合成される画像の色情報を被合成用紙の下地及び被合成用紙上の画像と合成する。
【００２３】
明度彩度調整部１１９は、上記画像合成部１１７で合成された画像について、操作パネル１２３上に表示して、ユーザからの入力を受け付けて、合成画像の明度及び彩度を調整する。
【００２４】
スキャナ１２１は、スキャナ装置を備えて、原稿用紙の画像情報を電子情報に変換する。また、本発明の本質的機能である被合成用紙及び合成用紙の画像情報を電子情報へ変換する機能と、非合成用紙及び合成用紙の白紙の色情報を電子情報に変換する機能とを有する。
【００２５】
操作パネル１２３は、画像形成装置１０１の状態や、操作方法を出力し、さらにユーザからの画像形成装置１０１の操作入力を受け付ける。
【００２６】
メモリ１２５は、半導体記憶装置からなる一次記憶装置（メモリ）と磁気回転磁気ディスク装置等からなる二次記憶装置（メモリ）とから構成されて、画像形成装置の動作に必要なプログラム（ソフトウェア）やデータ等を記録保存する。
【００２７】
ＣＰＵ（Central Processing Unit）１２７は、画像形成装置１０１の動作を制御するためのコンピュータ装置である。メモリ１２５に記録されたソフトウェアがＣＰＵ１２７上で実行されることにより、画像形成装置１０１の各機能を実現する。
【００２８】
印刷部１２９は、画像を実際に用紙上に転写して出力する機能部である。例えば複写の際には、スキャナでスキャンされた原稿用紙上の画像が電子情報に変換されて、画像処理が行なわれた後印刷部１２９に送られて、用紙上に印刷される。
【００２９】
［フローチャート］
図２，３，４のフローチャートを用いて、実施例の画像形成装置の動作の流れについて説明する。図２は、全体の流れ、図３（Ａ）は、前準備の流れ、図３（Ｂ）は、画像合成の流れ、図３（Ｃ）は、色補正の流れ、図４は、明度・彩度調整の流れを表すフローチャートである。
【００３０】
以下の本フローチャートでは、２枚の原稿用紙の合成の例について述べる。この場合に、元データとなる方の原稿用紙を被合成用紙、合成させる方の原稿用紙を合成用紙と呼ぶ。合成する原稿用紙の数は、２枚に限らず３枚以上の多数であってもよい。
【００３１】
＜事前準備＞
まず、事前準備として原稿用紙の下地の色情報の測定のために何も書かれていない真っ白な状態（白紙）の被合成用紙と合成用紙を用意する。
【００３２】
＜前準備のフローチャート＞
最初に図３（Ａ）のフローチャートを用いて前準備の流れについて説明する。
【００３３】
前準備として、前処理として何もしていない被合成用紙（＝被合成用紙Ｘ）と合成用紙（＝合成用紙Ｙ）を用意する。
【００３４】
被合成用紙Ｘをスキャンし（Ｓ１１）、その色値をハードディスクに保存する（Ｓ１３）。
【００３５】
合成用紙Ｙをスキャンし（Ｓ１５）、その色値をハードディスクに保存する（Ｓ１７）。
【００３６】
＜全体の流れ＞
次に図２の全体の流れを示すフローチャートを用いて説明する。
【００３７】
合成ボタンの押下を判断する（Ｓ２１）。押下ありで合成機能をスタートし、動作をＳ２３に移行する。合成ボタンの押下がなければ動作をＳ８３に移行して、合成を行わずに印刷する。
【００３８】
被合成用紙（＝画像データＡとする）をスキャン（原稿読み取り）し（Ｓ２３）、ハードディスクに保存する（Ｓ２５）。本動作時の操作パネルの例を図５（Ｂ）に示す。
【００３９】
合成用紙（＝画像データＢとする）をスキャン（原稿読み取り）し（Ｓ２７）、ハードディスクに保存する（Ｓ２９）。本動作時の操作パネルの例を図５（Ｃ）に示す。
【００４０】
スキャンしたデータ（画像データＡ、画像データＢ）をパネルの画面に並べて表示する（Ｓ３１；操作パネル画面図５（Ｄ））。
【００４１】
次に合成処理（Ｓ４０）であるが、合成処理の詳細については図３（Ｂ）の合成のフローチャートを用いて説明する。
【００４２】
Ｂ画像の合成させる範囲（＝合成範囲Ｃとする）をタッチペンなどで選択して範囲を指定する（Ｓ４１；操作パネル画面図５（Ｅ））。
【００４３】
合成範囲Ｃを点滅する点線で囲み表示して選択範囲を明確にし、確定する（Ｓ４３）
画像データＡの合成する範囲（＝合成範囲Ｄ）をタッチペンなどで選択して範囲を指定する（Ｓ４５）。
【００４４】
合成範囲Ｄの範囲に合成範囲Ｃを合成する（Ｓ４７；操作パネル画面図５（Ｆ））。
【００４５】
ただし、等倍の場合は被合成原稿の画像データの合成領域と重なる部分をイレース（白抜き等）して処理することで被合成原稿の被合成領域に合成画像がはめ込まれた画像出力を得ることができる。
【００４６】
下地除去ボタンの押下を判断する（Ｓ５１）。押下があると下地除去と色補正と行うために、動作をＳ５３に移行する。押下が無い場合は、これらの動作を行わず動作をＳ８１に移行する。
【００４７】
まず”下地除去”を次のように行う（Ｓ５３）。合成用紙の下地色部分を合成用紙の白色点測定データ（Ｓ１１で取得）に基づいて判断して、合成用紙のどの部分が下地部分であるかを判断する。次に、この合成用紙の下地色部分の色情報データを被合成用紙の下地色部分のデータに変換する。
【００４８】
次に”色補正”を行う（Ｓ６０）。色補正の詳細な動作について、図３（Ｂ）のフローチャートに移って詳細を説明する。
【００４９】
画像データＡの用紙（＝Ｘ）を選択する（Ｓ６１）。
【００５０】
画像データＢの用紙（＝Ｙ）を選択する（Ｓ６３）。
【００５１】
次にスキャナ１２１で測定した色情報の測定値を利用し、補正する比率（＝比率Ｅ）を求める（Ｓ６５）。比率の式は以下の（式１）で表される。
【００５２】
比率Ｅ＝画像データＡ／画像データＢ  ---（式１）
比率Ｅを合成範囲Ｃの色情報全てに掛けていく（Ｓ６７）。
【００５３】
次に明度・彩度を調整する（Ｓ７０）。明度・彩度の調整については、図４のフローチャートを用いてその詳細を説明する。
【００５４】
まず、下地除去、色補正を行った結果をプレビューで表示する（操作パネル画面図５（Ｇ））。
【００５５】
表示された結果から調整が必要かどうかについてユーザの入力を受け付ける。ユーザがＯＫボタン（図５（Ｇ））を押せば、調整が必要ないとして動作をＳ８１（図２）に移行する。ＯＫボタンが押されれば動作をＳ７３に移行して、明度彩度調整を続ける。
【００５６】
スクロールバーを利用し、ユーザが明度・彩度を調整する（Ｓ７３；操作パネル画面図５（Ｇ））。
【００５７】
このとき、”デフォルトに戻す”ボタンを押すとＳ７１に動作を移行して色補正を行った後の明度・彩度に戻る（Ｓ７７）。
【００５８】
”ＯＫ”ボタンが押された場合、編集画面に戻る（Ｓ７９；；操作パネル画面図５（Ｈ））。
【００５９】
ここで、元の図２のフローチャートに戻る。
【００６０】
終了ボタンが押されると（Ｓ８１）印刷画面を表示する（Ｓ８３；操作パネル画面図５（Ｉ））。終了ボタンが押されないと動作をＳ３１に戻して動作を繰り返す。
【００６１】
［実施例の効果］
本発明実施例の画像形成装置により以下の効果が得られる。
【００６２】
２枚の画像を合成するとき、合成画像の下地除去を行うだけでなく、画像の色を補正することにより、色合いが良くなる。
【００６３】
下地除去と色補正した後プレビュー画面を表示することにより、印刷後に確認して再度印刷作業をする手間を省き、また印刷用紙やトナーの無駄使いを防ぐことができる。
【００６４】
２枚の合成だけでなく、３枚以上の多数の画像を合成する場合でも、前準備として合成する用紙をスキャンし色情報を登録しておくことにより可能である。
【００６５】
［その他］
本発明実施例のフローチャートにおける説明では、被合成用紙と合成用紙の２枚の白色の原稿用紙を用意して、白色点の色情報を取得する方法について説明したが、これらの白色の原稿用紙による測定を必要とせず、実際に合成される用紙の例えば周辺部等の白色点である点からそれらの色情報を取得して用いる方法をとってもよい。
【符号の説明】
【００６６】
１０１  画像形成装置
１１１  下地色情報取得部
１１３  下地色補正部
１１５  画像色補正部
１１７  画像合成部
１１９  明度彩度調整部
【図１】
2011061318.tif 000003
【図２】
2011061318.tif 000004
【図３】
2011061318.tif 000005
【図４】
2011061318.tif 000006
【図５】
2011061318.tif 000007
【図６】
2011061318.tif 000008